(57)【要約】【課題】幅広状のラップフィルムを所望の幅寸法に切断するラップフィルム切断装置を提供する。【解決手段】このラップフィルム切断装置１０は、本体２０のリング部２１から軸方向に延びる複数の爪部材２２の雄ねじ２４に、雌ねじ２７を有するナット２５を着脱自在に螺着するとともに、リング部２１に周方向に移動する移動部材２９を装着して、この移動部材２９に固定ハンドル部３２と、ピン３３によって揺動自在の可動ハンドル部３４とを設け、この可動ハンドル部３４の先端に切断刃４０を回転自在に取り付けている。リング部２１にラップフィルム構体１を挿入し、爪部材２２の雄ねじ２４にナット２５の雌ねじ２７を螺着すると、本体２０がラップフィルム構体１に固定され、移動部材２９とラップフィルム構体１とを相対的に回転させると、切断刃４０でラップフィルム３が切断できる。【選択図】      図１
2004291168.tif 000002
【特許請求の範囲】
【請求項１】
芯に巻回されたラップフィルムの切断装置であって、
ラップフィルムに着脱自在に装着される本体と、この本体に装着されてラップフィルムの周囲を移動する切断刃とを備えることを特徴とするラップフィルム切断装置。
【請求項２】
前記本体が、ラップフィルムの周囲に配設されるリング部と、このリング部に沿ってラップフィルムの周囲を移動する移動部材とを備え、この移動部材に切断刃が取り付けられていることを特徴とする請求項１に記載のラップフィルム切断装置。
【請求項３】
前記移動部材が、少なくとも可動ハンドル部を備え、可動ハンドル部が前記移動部材に対して揺動自在に取り付けられ、この可動ハンドル部が切断刃を有することを特徴とする請求項１または２に記載のラップフィルム切断装置。
【請求項４】
前記移動部材が、径方向にスライド可能なスライド機構部を備え、そのスライド部材に切断刃が取り付けられていることを特徴とする請求項２に記載のラップフィルム切断装置。
【請求項５】
前記切断刃が、回転刃であることを特徴とする請求項１から４のいずれかに記載のラップフィルム切断装置。
【発明の詳細な説明】
【０００１】
【発明の属する技術分野】
本発明は、ラップフィルム切断装置に関し、特に、芯に巻回されたラップフィルムを所望の幅寸法に切断するのに好適なラップフィルム切断装置に関するものである。
【０００２】
【従来の技術】
家庭で野菜などの食品を冷蔵庫などで保存する場合に臭いが移るのを防止したり、余った料理を保存したりするために、透明なラップフィルムでラップすることが行われている。
【０００３】
図８は、紙製の円筒状の芯２に所定幅Ｗで所定長さのラップフィルム３を巻回したラップフィルム構体１を示し、通常、ギザギザ状の刃を備えた紙製のケース（図示省略）に収納した状態で販売されており、使用時に所定寸法だけ引き出したラップフィルム３を、ケースに備えた刃を利用して切断して使用している。
【０００４】
ラップフィルム３の幅Ｗおよび長さは、種々の寸法のものが販売されている。ここで、長さ寸法については用途に応じて適宜切断して使用するので問題ないが、幅寸法Ｗについては、保存する食品や余った料理を収容した食器などの大きさが種々異なっているため、各種の幅寸法Ｗのラップフィルム３を保管しておくことが望ましい。
【０００５】
上記のラップフィルム構体１は周知であり、出願人は先行技術文献については不知である。
【０００６】
【発明が解決しようとする課題】
しかしながら、種々の幅寸法のラップフィルム構体１を保管しておくことは、保管場所を取るので保管上の問題がある。また、幅寸法が小さいラップフィルムは、需要が少ないため、幅寸法が２５〜３０ｃｍ程度の最も一般的なラップフィルムに比較して単位面積当りの価格が高くなることが避けられない。しかも、スーパーなどの客寄せ商品として特価販売されるのは幅寸法が２５〜３０ｃｍ程度のものが多いため、どうしても家庭では２５〜３０ｃｍ程度の幅寸法のものが溜まって来て、小さい物をラッピングする場合でも幅広状のものを使用しなければならないため、無駄が生じるのみならず、資源の有効利用上も問題である。
【０００７】
そこで、本発明は、幅広状のラップフィルムを所望の幅寸法に切断できるラップフィルム切断装置を提供することを目的とする。
【０００８】
【課題を解決するための手段】
本発明は、上記の課題を解決するために、芯に巻回されたラップフィルムの切断装置であって、ラップフィルムに着脱自在に装着される本体と、この本体に装着されてラップフィルムの周囲を移動する切断刃とを備えることを特徴としている。
【０００９】
前記本体は、ラップフィルムの周囲に配設されるリング部と、このリング部に沿ってラップフィルムの周囲を移動する移動部材とを備え、この移動部材に切断刃を取り付けるようにするとよい。
【００１０】
また、前記移動部材が、少なくとも可動ハンドル部を備え、可動ハンドル部を前記移動部材に対して揺動自在に取り付け、この可動ハンドル部が切断刃を有するようにするとよい。
【００１１】
また、前記移動部材が、径方向にスライド可能なスライド機構部を備え、そのスライド部材に切断刃を取り付けるようにするとよい。
【００１２】
また、前記切断刃を、回転刃にするとよい。
【００１３】
本発明に係るラップフィルム切断装置は、ラップフィルムの周囲に本体を装着し、切断刃とラップフィルムとを相対的に回転させることによって、切断刃でラップフィルムを野菜などの保存する食品や余った料理などを収容する食器などの大きさに応じた任意の幅寸法に切断して使用することが可能である。
【００１４】
また、ラップフィルムを切断したい幅寸法に応じた位置までリング部に挿入し、ラップフィルムの周面にリング部を固定して、移動部材とラップフィルムとを相対的に回転させることによって、切断刃でラップフィルムが所望の幅寸法で切断できる。
【００１５】
また、可動ハンドル部が、移動部材に対して揺動自材に取り付けられているので、可動ハンドル部の先端に取り付けられている切断刃を、ラップフィルムにその厚さに応じた押圧力で押し付けて、ラップフィルムを切断することができる。
【００１６】
また、移動部材が、径方向にスライド可能なスライド機構部を備え、そのスライド部材に切断刃を取り付けたので、スライド部材をスライドさせることによって、切断刃をラップフィルムに押し付けて、ラップフィルムを切断することができる。
【００１７】
また、切断刃を、回転刃で構成することによって、切断が容易になり、切断刃摩耗が少なくて長寿命にすることができる。
【００１８】
【発明の実施の形態】
以下、本発明の実施形態に係るラップフィルム切断装置について、図面を用いて説明する。図１は第１実施形態に係るラップフィルム切断装置１０の分解状態の縦断面図で、図２は移動部材側（図１の左側）から見た側面図である。このラップフィルム切断装置１０は、図８に示すような、芯２にラップフィルム３を巻回したラップフィルム構体１の所望の幅寸法位置に装着されて使用される。
【００１９】
ラップフィルム切断装置１０は、ラップフィルム構体１に装着される本体２０と、この本体２０に取り付けられてラップフィルム３を切断する切断刃４０とを有する。本体２０は、フィルムラップ１が挿入されるリング部２１と、このリング部２１の周囲から適当な間隔でリング部２１に対して略鉛直方向に延びる複数の爪部材２２を有する。この爪部材２２は、図１に示すように、その長さ方向に沿ってリング部２１から離れるにしたがって厚さ寸法が次第に小さくなるように、テーパー状の外面部２３を有し、この外面部２３に雄ねじ２４が設けられている。
【００２０】
爪部材２２の外面部２３の雄ねじ２４に対して、内周面に爪部材２２のテーパー状の外面部２３と同一のテーパー状の内面部２６を有し、この内面部２６に雌ねじ２７を有するナット２５が螺着される。したがって、ナット２５を締付けるのに伴って、複数の爪部材２２がラップフィルム３を周囲から強く押圧して、本体２０をラップフィルム構体１の所望位置に固定することができる。
【００２１】
リング部２１は、軸方向に延びる円筒状のフランジ２８を有し、このフランジ２８に沿って移動する移動部材２９が設けられている。移動部材２９は、ピン３０を中心にして自転しながらフランジ２８の内周面２８ａおよび外周面２８ｂを公転する複数の転動体３１を有する。この移動部材２９には、径方向外方に延びる固定ハンドル部３２と、ピン３３によって枢支された揺動自在の可動ハンドル部３４が設けられている。この可動ハンドル部３４のピン３３の反対側先端にピン３５を介して円板状の切断刃４０が回転自在に取り付けられている。図２において、３６，３７は転動体３１を回転自在に支持するピン３０が通るスリット部である。
【００２２】
前記本体２０のリング部２１の内径寸法Ｄ１は、ラップフィルム構体１の外径寸法Ｄ０よりも大きく（Ｄ１＞Ｄ０）、爪部材２２の先端部の外径寸法Ｄ２は、爪部材２２の基部の外径寸法Ｄ３よりも小さく（Ｄ２＜Ｄ３）設定されており、前述のように、爪部材２２の基部から先端部に向かって次第にその厚さ寸法が小さくなるように、テーパー状の外面部２３が形成されている。また、ナット２５の最大内径寸法Ｄ４は、爪部材２２の先端部の外径寸法Ｄ２より大きく（Ｄ２＜Ｄ４）設定され、ナット２５の最小内径寸法Ｄ５は、爪部材２２の先端部の外径寸法Ｄ２と同等ないし若干小さく（Ｄ２≒Ｄ５あるいはＤ２＞Ｄ５）設定されている。
【００２３】
次に、上記第１実施形態のラップフィルム切断装置１０の動作について説明する。まず、ラップフィルム切断装置１０をラップフィルム構体１に装着するが、そのためには、ナット２５を爪部材２２の雄ねじ２４から完全に取り外すか、あるいは緩めて爪部材２２の内径寸法Ｄ１がラップフィルム３の外径寸法Ｄ０よりも大きくなるようにして、リング部２１にラップフィルム構体１を所望の幅寸法位置まで挿入する。
【００２４】
ラップフィルム構体１とリング部２１との位置関係を保持して、爪部材２２の雄ねじ２４にナット２５の雌ねじ２７を螺着する。すると、爪部材２２とナット２５の螺合が進むのに伴って、前記Ｄ２≒Ｄ５あるいはＤ２＞Ｄ５の関係から、ナット２５によって複数の爪部材２２が中心軸方向に変形され、外周方向からラップフィルム３の周面に押し付けられて、本体２０がラップフィルム構体１の外周面に固定される。
【００２５】
この状態で、移動部材２９に固定された固定ハンドル部３２をラップフィルム構体１の周方向に向かって押すと、本体２０のフランジ２８に沿って移動部材２９の転動体３１がピン３０を中心に自転しながらフランジ２８の内周面２８ａおよび外周面２８ｂに沿って公転することによって、移動部材２９がラップフィルム構体１の周囲を移動する。
【００２６】
移動部材２９には、ピン３３を介して可動ハンドル部３４が揺動自在に取り付けられており、この可動ハンドル部３４の先端にピン３５を介して切断刃４０が回転自在に取り付けられているので、固定ハンドル部３２と可動ハンドル部３４とを握ると、固定ハンドル部３２と可動ハンドル部３４とに図２の矢印方向に示す力Ｆ１が作用して、梃子の原理で切断刃４０に図示矢印方向の力Ｆ２が作用して、切断刃４０がラップフィルム３に押し付けられる。
【００２７】
ラップフィルム３への切断刃４０の押付力Ｆ２は、固定ハンドル部３２と可動ハンドル部３４との握り力Ｆ１によって変動するので、ラップフィルム３は切断し、芯２は切断しないような押付力Ｆ２が作用するように固定ハンドル部３２と可動ハンドル部３４とを握って、移動部材２９をラップフィルム構体１の周囲に沿って移動させるか、あるいは、固定ハンドル部３２と可動ハンドル部３４とを握って固定したままラップフィルム構体１を回転させることによって、ラップフィルム構体１と切断刃４０とを相対的に回転させると、切断刃４０によってラップフィルム３が切断される。
【００２８】
移動部材２９がラップフィルム３の周囲を相対的に移動中に、前記固定ハンドル部３２と可動ハンドル部３４との握り力が変動したり過大になったりしないように、固定ハンドル部３２と可動ハンドル部３４とを係止する固定手段を設けて、可動ハンドル部３４を所定の揺動角度で移動部材２９，例えば、固定ハンドル部３２に固定するようにしてもよい。
【００２９】
図３は、固定手段５０の一例を示す斜視図で、Ｌ字形の固定部材５１の基端部５２をピン５３で可動ハンドル部３４の受部３４ａに枢着して構成されており、固定部材５１がピン５３を中心に、図示２点鎖線位置から実線位置に回動して、固定ハンドル部３２と可動ハンドル部３４とを係止固定するものである。なお、固定部材５１は固定ハンドル部３２側に設けてもよい。このようにすると、切断刃４０がラップフィルム３の周面に沿って相対的に移動中に、切断刃４０のラップフィルム３への押圧力が変動しないので、ラップフィルム３が押圧力不足によって切断されなかったり、過大な押圧力によって芯２まで切断したりすることがなく、ラップフィルム３のみを切断することが可能になる。
【００３０】
図４は本発明に係る第２実施形態のラップフィルム切断装置６０の縦断面図で、図５は移動部材側（図４の左側）からの側面図である。このラップフィルム切断装置６０は、リング部２１の周方向に移動する移動部材２９に、図１および図２に示すように固定ハンドル部３２と、ピン３３を介して可動ハンドル部３４とを設ける代わりに、移動部材２９にラップフィルム構体１の中心軸に向うスライド機構部６１を設けて、このスライド機構部６１のスライド部材の先端に円板状の切断刃７０を回転自在に設けたものである。
【００３１】
スライド機構部６１は、上下端部に内方折返し部６２ａおよび６２ｂを有する円筒状のシリンダ６２と、このシリンダ６２内にスライド自在に収容されたスライド部材である円柱状のピストン６３と、このピストン６３の上部に固定されたピストンロッド６４と、このピストンロッド６４の上端に取り付けられた押圧子６５と、シリンダ６２の内方折返し部６２ａの上面と押圧子６５との間に介装された圧縮ばね６６と、前記ピストン６３の下端に設けられた切断刃の取付部材６７とを備えている。そして、この取付部材６７にピン６８を介して円板状の切断刃７０が回転自在に取り付けられている。
【００３２】
上記の点を除いては、図１および図２に示すラップフィルム切断装置１０と同様であるので、同一部分または対応部分には同一参照符号を付してその説明を省略する。
【００３３】
次に、上記のラップフィルム切断装置６０の動作について説明する。まず、常時は、図示するように、圧縮ばね６６の弾性力によって押圧子６５が押し上げられ、ピストン６３の上端はシリンダ６２の内方折返し部６２ａの下面に当接して、ピストン６３がシリンダ６２内の上端に位置しており、切断刃７０はシリンダ６２内に退入している。そのため、ラップフィルム切断装置６０の取り扱い時に、切断刃７０によって不用意にケガをすることが防止できる。
【００３４】
次に、前述と同様に、ナット２５を爪部材２２の雄ねじ２４から完全に取り外すか、あるいは緩めて爪部材２２の内径寸法がラップフィルム３の外径寸法よりも大きくなるようにして、リング部２１にラップフィルム構体１を所定の幅寸法位置まで挿入する。
【００３５】
ラップフィルム構体１とリング部２１との位置関係を保持して、爪部材２２の雄ねじ２４にナット２５の雌ねじ２７を螺着する。すると、爪部材２２とナット２５の螺合が進むのに伴って、前記Ｄ２≒Ｄ５あるいはＤ２＞Ｄ５の関係から、ナット２５によって複数の爪部材２２が中心軸に向かって変形して、外周方向からラップフィルム構体１の周面に押し付けられて、本体２０がラップフィルム構体１の外周面に固定される。
【００３６】
この状態で、押圧子６５をラップフィルム構体１の周方向に向かって押すと、転動体３１がピン３０を中心に自転しながらフランジ２８の内周面２８ａおよび外周面２８ｂに沿って公転することによって、移動部材２９およびスライド機構部６１がラップフィルム構体１の周囲を移動する。
【００３７】
そこで、押圧子６５を圧縮ばね６６の弾性力に抗してラップフィルム構体１の中心軸に向かって力Ｆ３で押圧すると、シリンダ６２の下端から切断刃７０が突出して、ラップフィルム３の周面に押し付けられる。この状態で、移動部材２９とラップフィルム構体１とを相対的に回転させると、切断刃７０の回転によってラップフィルム３が切断される。
【００３８】
切断刃７０によるラップフィルム３の切断に際しては、移動部材２９とラップフィルム構体１とを相対的に回転させるのに伴って、次第に押圧子６５の押下げ量を増大して、移動部材２９とラップフィルム構体１との数回の相対的な回転でラップフィルム３を切断するようにしてもよいし、一挙に押圧子６５を押し下げて、移動部材２９とラップフィルム構体１との１回の相対的な回転によって、ラップフィルム３を切断するようにしてもよい。
【００３９】
いずれにしろ、押圧子６５を最大押し下げ量まで押し下げると、取付部材６８の下端がシリンダ６２の下端の内方折返部６２ｂに当接するので、それ以上ピストン６３が押し下げられることがなく、したがって、ラップフィルム構体１の芯２が切断されることが防止される。
【００４０】
上記第１実施形態のラップフィルム切断装置１０および第２実施形態のラップフィルム切断装置６０は、それぞれ特定の構成について説明したが、本発明はこれらの実施形態に限定されるものではなく、本発明の精神を逸脱することなく、各種の変形が可能である。
【００４１】
例えば、両実施形態では、本体２０の爪部材２２が先端に向って次第にその厚さ寸法が小さくなる外面部２３を有し、ナット２５が着脱可能な場合について説明したが、常時、爪部材にナットを装着しておくように構成してもよい。図６はそのような実施形態における移動部材と切断刃の図示を省略した、本体２０’とナット２５’との断面図を示す。この実施形態における本体２０’の各爪部材２２’は、先端に向って次第にその厚さ寸法が大きくなって、それらの外面部２３’は先端に向って次第にその外径寸法が大きくなる傾斜面に形成されており、雄ねじ２４’が形成されている。ナット２５’の内面部２６’は、爪部材２２’の外面部２３’と略一致する傾斜面に形成され、雌ねじ２７’が形成されている。
【００４２】
爪部材２２’にナット２５’を装着する場合は、各爪部材２２’をその弾性力に抗して中心軸方向に変形させておいて、ナット２５’の雌ねじ２７’を爪部材２２’の雄ねじ２４’に螺合し、ナット２５’を爪部材２２’の根元近傍に位置させる。すると、爪部材２２’の先端部は弾性復元力によって放射方向に向って形状復帰して、図示するように、爪部材２２’にナット２５’が装着された状態が保持される。
【００４３】
この本体２０’およびナット２５’をラップフィルム構体１に装着する場合は、本体２０’のリング部２１’に、ラップフィルム構体１を挿入し、ナット２５’を回転させながら、図示右側方向に移動させる。すると、ナット２５’による締付力によって、各爪部材２２’がその弾性力に抗して中心軸方向に向って変形して、その内面部でラップフィルム構体１のラップフィルム３を押え付ける。その結果、本体２０’およびナット２５’はラップフィルム構体１に固定される。
【００４４】
この実施形態によれば、常時、ナット２５’が爪部材２２’に装着されているので、ナット２５’を紛失したり、落として破損したりすることがないという利点がある。なお、この実施形態は、図１および図２に示す構成を有するラップフィルム切断装置や、図４および図５に示す構成を有するラップフィルム切断装置のいずれにも適用することができる。
【００４５】
また、前記両実施形態では、移動部材２９の安定な移動動作を確保するために、フランジ２８の内周面２８ａおよび外周面２８ｂに沿って、それぞれ自転および公転する２個の転動体３１を設ける場合について説明したが、いずれか一方面または両方面を１個の転動体３１で構成することができる。また、場合によっては、フランジ２８の内周面２８ａおよび外周面２８ｂのいずれか一方のみに沿って転動する転動体３１を設けてもよい。
【００４６】
また、上記両実施形態では、フランジ２８の内周面２８ａおよび外周面２８ｂに沿って、転動体３１が転動する場合について説明したが、リング部２１におけるフランジ２８の対向面を転動体３１が転動するようにしてもよい。
【００４７】
また、移動部材２９は、転動体３１によりリング部２１に対して移動させるようにすると移動抵抗が小さくて望ましいが、転動体は円盤状の転動体３１のみならず、球体状の転動体でもよいし、また転動体のみならず、スライド材によって移動するようにしてもよい。
【００４８】
また、転動体３１やスライド部材を省略して、図７に示すように、本体２０″のリング部２１″に突起部２１ａ″を設けるとともに、移動部材２９’に前記突起部２１ａ″に係合する凹部２９ａ’を設けて、凹部２９ａ’を突起部２１ａ’に摺動自在に係合し、移動部材２９’にピン３０’を介して可動ハンドル部３４’および切断刃４０’を一体に有する可動部材を揺動自在に取り付けた構成にしてもよい。このようにすると、構成が著しく簡単になり、小型、安価にできる。
【００４９】
また、上記実施形態では、本体２０が円環状に完結したリング部２１を有する場合について説明したが、一部が欠落した略リング部材を用いることもできる。このような一部が欠落した略リング部材を用いる場合は、略リング部材の弾性力を利用して、ラップフィルム構体１に装着することもできる。ここで、上記の「一部が欠落した略リング部材」なる用語は、スリット状に極一部のみが欠落した場合の他、数°〜２７０°程度まで大きく欠落した場合をも含むことを意味する。
【００５０】
このように一部が欠落した略リング部材でも、爪部材２２へのナット２５の螺着によって爪部材２２がラップフィルム構体１の周面に押し付けられて、本体２０をラップフィルム構体１に固定することができる。ただし、この場合は、本体２０をラップフィルム構体１に固定したまま、移動部材２９をラップフィルム構体１の周囲を１回転させることができないので、ナット２５を一旦緩めて、本体２０の装着位置を変更した後、再度、ナット２５を螺着して、ラップフィルム３を切断しなければならないという不便さはあるが、装置を小型および廉価にできる利点がある。
【００５１】
さらに、上記実施形態では、切断刃として回転自在の円板状の切断刃４０，７０を用いる場合について説明したが、例えば、文房具店などで入手可能な折刃式の刃を着脱自在に固定して用いれば、刃の切れ味が劣化したときに、家庭で簡単に交換することができる。
【００５２】
また、スライド機構部６１は、ラップフィルム構体１の中心軸に向かってスライドする場合のみならず、中心軸から若干偏った方向にスライドするようにしてもよい。
【００５３】
【発明の効果】
本発明に係るラップフィルム切断装置は、芯に巻回されたラップフィルムの切断装置であって、ラップフィルムに着脱自在に装着される本体と、この本体に装着されてラップフィルムの周囲を移動する切断刃とを備えるので、ラップフィルムと切断刃とを相対的に回転させることによって、切断刃でラップフィルムを任意の幅寸法に切断することができる。
【００５４】
また、前記本体が、ラップフィルムの周囲に配設されるリング部と、このリング部に沿ってラップフィルムの周囲を移動する移動部材とを備え、この移動部材に切断刃が取り付けられていると、本体をラップフィルムに固定し、移動部材とラップフィルムとを相対的に回転させることによって、ラップフィルムを切断することができる。
【００５５】
また、前記移動部材が、少なくとも可動ハンドル部を備え、可動ハンドル部が前記移動部材に対して揺動自在に取り付けられ、この可動ハンドル部に切断刃が取り付けられていると、可動ハンドル部を操作して、切断刃をラップフィルムに押し付けながら、移動部材とラップフィルム構体とを相対的に回転させることによって、ラップフィルムを切断することができる。
【００５６】
また、前記移動部材が、径方向にスライド可能なスライド機構部を備え、そのスライド部材に切断刃が取り付けられていると、スライド部材をラップフィルムに向かってスライドさせながら、移動部材とラップフィルム構体とを相対的に回転させることによって、切断刃でラップフィルムを切断することができる。
【００５７】
さらに、切断刃が、回転刃であると、切断刃の回転によって、円滑にラップフィルムが切断できるとともに、切断刃の摩耗が少なくて長寿命にできる。
【図面の簡単な説明】
【図１】本発明の第１実施形態に係るラップフィルム切断装置を示す縦断面図である。
【図２】図１のラップフィルム切断装置における側面図である。
【図３】可動ハンドル部の固定手段の拡大斜視図である。
【図４】本発明の第２実施形態に係るラップフィルム切断装置における縦断面図である。
【図５】図４のラップフィルム切断装置における側面図である。
【図６】本発明のラップフィルム切断装置における別の実施形態の本体およびナットの断面図である。
【図７】本発明のラップフィルム切断装置におけるさらに別の実施形態のリング部および切断刃の要部断面図である。
【図８】ラップフィルム構体の斜視図である。
【符号の説明】
１  ラップフィルム構体
２  芯
３  ラップフィルム
１０，６０  ラップフィルム切断装置
２０，２０’  本体
２１，２１’，２１″  リング部
２２，２２’  爪部材
２４，２４’  雄ねじ
２５，２５’  ナット
２７，２７’  雌ねじ
２９，２９’  移動部材
３１  転動体
３２  固定ハンドル部
３４，３４’  可動ハンドル部
４０，４０’，７０  切断刃
６１  スライド機構部
６２  シリンダ
６３  スライド部材（ピストン）
６６  圧縮ばね
Ｄ０  ラップフィルム構体の外径寸法
Ｄ１  ラップフィルム切断装置の内径寸法
Ｄ２  爪部材の先端部の外径寸法
Ｄ５  ナットの最小内径寸法
【図１】
2004291168.tif 000003
【図２】
2004291168.tif 000004
【図３】
2004291168.tif 000005
【図４】
2004291168.tif 000006
【図５】
2004291168.tif 000007
【図６】
2004291168.tif 000008
【図７】
2004291168.tif 000009
【図８】
2004291168.tif 000010